(57)【要約】【課題】  各光ノード装置間の伝送路距離が短いメトロ系ネットワークに最適な光ノード装置を提供する。【解決手段】  本発明の光ノード装置１１は、ＯＡＤＭ（Optical Add/Drop Multiplexer）１２と、この後段にＷＤＭ光信号の強度レベルを一括して減衰させるＶＯＡ１５と、ＶＯＡ１５を制御するＶＯＡコントローラー１７と、ＶＯＡコントローラー１７を外部からの情報により制御する監視制御部１８とを備え、光ネットワークシステムのＡＰＲ（Automatic Power Reduction）制御、出力制御を可能とする。【選択図】  図３
2004297790.tif 000002
【特許請求の範囲】
【請求項１】
ＷＤＭ光信号の中から任意の波長をアド／ドロップするアドドロップマルチプレキサーと、
前記アドドロップマルチプレキサーから出力されるＷＤＭ光信号の強度レベルを一括に減衰させる可変光減衰手段と、
前記可変光減衰手段を制御するコントローラーと、
前記コントローラーを外部からの情報により制御する監視制御手段とを備える光ノード装置。
【請求項２】
前記可変光減衰手段は、可変光減衰器と、その前後に設けられた光カプラを備える、請求項１に記載の光ノード装置。
【請求項３】
前記可変光減衰手段は、光スイッチを備える、請求項１に記載の光ノード装置。
【請求項４】
前記監視制御手段は、対向する伝送ラインからの情報により、前記コントローラーを制御する、請求項１に記載の光ノード装置。
【請求項５】
前記情報は、伝送路障害を検出したアラーム情報である、請求項４に記載の光ノード装置。
【請求項６】
前記可変光減衰手段は、前記アラーム情報を受けた場合、減衰量を最大にする、請求項５に記載の光ノード装置。
【請求項７】
前記アドドロップマルチプレキサーの入力側に、光増幅器をさらに備える、請求項１に記載の光ノード装置。
【請求項８】
前記アドドロップマルチプレキサーと、前記可変光減衰手段とを備えるＯＡＤＭ部が、対向する伝送ラインのそれぞれに備えられており、
前記監視制御手段は、前記対向する伝送ラインのそれぞれに接続されている、請求項１に記載の光ノード装置。
【請求項９】
前記ＯＡＤＭ部の入力側に、光増幅器がさらに備えられており、
前記監視制御手段は、前記対向する伝送ラインの一方に備えられた前記光増幅器と、前記対向する伝送ラインのもう一方に備えられた前記ＯＡＤＭ部のそれぞれに接続されている、請求項８に記載の光ノード装置。
【請求項１０】
ＷＤＭ光信号を用い、複数の光ノード装置を備える光ネットワークシステムにおいて、
対向する光伝送ラインと、
前記対向する光伝送ラインの一方の下流に、伝送路障害を検出する光検出手段を備える下流光ノード装置と、
前記光検出手段からの情報を上流に戻す転送手段と、
前記転送手段からの情報により、出力されるＷＤＭ光信号の強度レベルを一括に減衰させる可変光減衰手段を備える上流光ノード装置とを備える光ネットワークシステム。
【請求項１１】
前記下流光ノード装置は、前記光検出手段からの情報を前記対向する光伝送ラインに送る第１の送信手段をさらに備え、
前記上流光ノード装置は、前記転送手段からの情報を前記対向する光伝送ラインに戻す第２の送信手段をさらに備える、請求項１０に記載の光ネットワークシステム。
【請求項１２】
前記第１の送信手段および前記第２の送信手段は、監視制御部を備える、請求項１１に記載の光ネットワークシステム。
【請求項１３】
前記可変光減衰手段は、可変光減衰器と、その前後に設けられた光カプラを備える、請求項１０に記載の光ネットワークシステム。
【請求項１４】
前記可変光減衰手段は、光スイッチを備える、請求項１０に記載の光ネットワークシステム。
【請求項１５】
前記情報は、前記光検出手段において伝送路障害を検出したアラーム情報である、請求項１０に記載の光ネットワークシステム。
【請求項１６】
前記可変光減衰手段は、前記アラーム情報を受けた場合、減衰量を最大にする、請求項１５に記載の光ネットワークシステム。
【請求項１７】
前記各光ノード装置は、アドドロップマルチプレキサーをさらに備える、請求項１０に記載の光ネットワークシステム。
【請求項１８】
前記アドドロップマルチプレキサーの入力側に、光増幅器をさらに備える、請求項１７に記載の光ネットワークシステム。
【請求項１９】
下流光ノード装置に備えられた前記光検出手段で検出されるＷＤＭ光信号の強度に応じて、上流光ノード装置に備えられた前記可変光減衰手段の減衰量を調整する、請求項１０に記載の光ネットワークシステム。
【請求項２０】
ＷＤＭ光信号を用い、複数の光ノード装置を備える光ネットワークシステムの制御方法であって、
下流光ノード装置に備えられた光検出手段が伝送路障害を検出すると、その情報を上流光ノード装置に転送し、
前記情報を受けて、前記上流光ノード装置に備えられた可変光減衰手段により減衰量を最大にして、ＷＤＭ光信号の出力を一括に停止するＡＰＲ制御方法。
【請求項２１】
ＷＤＭ光信号を用い、複数の光ノード装置を備える光ネットワークシステムの制御方法であって、
下流光ノード装置に備えられた光検出手段で検出されるＷＤＭ光信号の強度に応じて、その情報を上流光ノード装置に転送し、
前記情報を受けて、前記上流光ノード装置に備えられた可変光減衰手段により減衰量を調整して、ＷＤＭ光信号の出力を一括に調整する出力制御方法。
【発明の詳細な説明】
【技術分野】
【０００１】
本発明は、波長多重（ＷＤＭ：Wavelength Division Multiplexing）技術を用いた光ネットワークシステムに設けられる光ノード装置に係わり、特に、ＷＤＭ光信号から任意の波長の光信号をアド／ドロップするための光アドドロップマルチプレキサー（ＯＡＤＭ：Optical Add/Drop Multiplexer）を備えた光ノード装置、光ネットワークシステムおよびその制御方法に関する。
【背景技術】
【０００２】
インターネットの普及により、データ通信の需要は急激に増加している。それにともない、データ通信は大容量化が要求されている。そこで、通信トラフィックを効率良く増加させるために、ＷＤＭ技術が盛んに用いられている。また近年、ネットワークの構成は、現代の高度社会に対応するために、リングや網目の形態を採るようになっている。そこで、リングや網目の各分岐となる光ノード装置においては、光信号の情報をアド／ドロップする技術が必要となる。ＷＤＭ技術を用いた光ネットワークシステムにおいて、特定波長の光信号を光信号のままアド／ドロップする技術として、ＯＡＤＭ技術がある。
【０００３】
図１に、特開２０００−３５４００６号公報（特許文献１）に示される、従来のＯＡＤＭ技術を用いた光ノード装置の構成を示す。この光ノード装置１は、ＯＡＤＭ部２と、その前後に配置される２つの光増幅器３Ａおよび３Ｂを備えている。光ノード装置１に入力されたＷＤＭ光信号は、光ノード装置１の入力部の光増幅器３Ａにより一括増幅された後、ＯＡＤＭ部２によって所定の波長がアド／ドロップされる。そして、ＯＡＤＭ部２から出力されたＷＤＭ光信号は、再び、光ノード装置１の出力部の光増幅器３Ｂにより一括増幅され、伝送路に送出される。これまで、長距離伝送系の大規模ネットワークでは、このような構成の光ノード装置が用いられてきた。
【特許文献１】特開２０００−３５４００６号公報
【発明の開示】
【発明が解決しようとする課題】
【０００４】
近年、通信トラフィックの増加により、長距離伝送系だけでなく、都市内のようなメトロ系の小規模ネットワークにおいても、ＷＤＭ技術を用いた光ネットワークシステムの需要が高まっている。メトロ系ネットワークでは、長距離伝送系の一般的なバックボーンネットワークと異なり、各光ノード装置間の伝送路距離が短いことが特徴として挙げられる。そこで、メトロ系の小規模ネットワークでは、これまでのネットワークよりも、安価で効率的なネットワークの構築が急務となっている。それにともない、光ノード装置においても、メトロ系ネットワークに合った、安価で効率の良い装置が要望されている。
【０００５】
図２に、タンデムに接続された場合の光ノード装置を備えるネットワーク構成の一例を示す。各光ノード装置において、所定波長の光信号のアド／ドロップが行われる。しかし、メトロ系のような小規模ネットワークにおいては、光ノード装置間の伝送路距離が短く、伝送路損失が小さい場合がある。このような場合は、光ノード装置の出力部に光増幅器がない構成でも正常にＷＤＭ光信号を伝送することが可能である。しかし、安全性を考慮したAutomatic Power Reduction（ＡＰＲ）制御ができなくなるという新たな問題が生じる。ＡＰＲ制御とは、伝送路の断線等による下流の伝送路障害に対して、上流の光ノード装置からの光出力を停止する制御のことである。この制御により、下流の伝送路や装置等が、断線箇所から高出力の光信号を受けて損傷することから防ぐことができる。このように、ＡＰＲ制御は、ネットワークを保証する上で、重要な制御である。
【０００６】
本発明の目的は、各光ノード装置間の伝送路距離が短いメトロ系ネットワークに最適な光ノード装置、光ネットワークシステムおよびその制御方法を提供することにある。
【課題を解決するための手段】
【０００７】
上記目的を達成するために、本発明の光ノード装置は、ＷＤＭ光信号の中から任意の波長をアド／ドロップするアドドロップマルチプレキサーと、このアドドロップマルチプレキサーから出力されるＷＤＭ光信号の強度レベルを一括に減衰させる可変光減衰手段と、この可変光減衰手段を制御するコントローラーと、このコントローラーを外部からの情報により制御する監視制御手段とを備えている。
【０００８】
また、本発明の光ネットワークシステムは、ＷＤＭ光信号を用いた複数の光ノード装置を備えており、対向する光伝送ラインと、この対向する光伝送ラインの一方の下流に、伝送路障害を検出する光検出手段を備える下流光ノード装置と、この光検出手段からの情報を上流に戻す転送手段と、この転送手段からの情報により、出力されるＷＤＭ光信号の強度レベルを一括に減衰させる可変光減衰手段を備える上流光ノード装置とを備えている。
【０００９】
これにより、本発明の光ノード装置および光ネットワークシステムでは、高価な光増幅器の数を減らしたうえで、光ネットワークシステムの安全性を確保するためのＡＰＲ制御が可能となっている。
【００１０】
具体的には、伝送路の下流で断線等が発生した場合に、その情報を上流の監視制御手段にフィードバックしてコントローラーを動作させ、可変光減衰手段を制御し、下流へ出力される信号光を停止する。よって、下流にハイパワーの信号光が出力されることが防止されて、断線箇所からハイパワーな信号光が漏れることを防止することができる。
【００１１】
このように、本発明の光ノード装置および光ネットワークシステムは、光ノード装置の出力部または光ノード装置の入力部の一方、または、それら両方の光増幅器を不要とすることができる。よって、本発明の光ノード装置は、高価な光増幅器の数を減らすことができ、かつＡＰＲ制御を可能とする。
【発明の効果】
【００１２】
以上説明したように、本発明によれば、次のような効果を有する。
【００１３】
特にメトロ系小規模ネットワークにおいて、本発明の光ノード装置および光ネットワークシステムにより、高価な光増幅器の数を減らすことが可能となり、安価でかつ効率の良いＡＰＲ制御が実現可能になる。
【００１４】
また、本発明の光ノード装置および光ネットワークシステムにより、従来技術のように減衰量が異なる固定減衰器をあらかじめ用意しておき、各伝送ラインに合わせて、挿入する必要がなくなり、各光ノード装置における入力レベルを容易に適正化することが可能になる。
【発明を実施するための最良の形態】
【００１５】
次に、本発明の実施の形態について、図面を参照して詳細に説明する。
【００１６】
本発明の第１の実施形態の光ノード装置を図３に示す。本発明の第１の実施形態の光ノード装置１１は、光増幅器１３と、ＯＡＤＭ１４と、可変光アッテネータ（ＶＯＡ：Variable Optical Attenuator）１５と、その前後に設置される光カプラ１６Ａおよび１６Ｂと、ＶＯＡ１５を制御するＶＯＡコントローラー１７と、監視制御部１８とを備えている。このうち、ＯＡＤＭ１４、可変光アッテネータ（ＶＯＡ）１５、光カプラ１６Ａおよび１６Ｂ、ＶＯＡコントローラー１７は、まとめてＯＡＤＭ部１２として、パッケージ化してもよい。なお、監視制御部１８は、外部からの情報によりＶＯＡコントローラー１７を制御できる。本発明の光ノード装置１１と従来の光ノード装置１との大きな違いは、光増幅器３Ｂを必要としていない点であり、高価な光増幅器の数を減少できる点にある。
【００１７】
次に、図３により、本発明の第１の実施形態の光ノード装置１１の動作について説明する。図の左から伝送されてきたＷＤＭ光信号は、光ノード装置１１に入力され、光増幅器１３により一括増幅される。増幅されたＷＤＭ光信号は、ＯＡＤＭ部１２に備えられたＯＡＤＭ１４により個別の波長に分波されて、所定の波長についてアド／ドロップされた後、再び合波される。次に、ＷＤＭ光信号は、ＯＡＤＭ部１２の出力側に設置されたＶＯＡ１５側に出力される。ＶＯＡ１５は、その前後に光カプラ１６Ａ、１６Ｂが設置されており、ＶＯＡ１５の前後の光強度レベルがモニタできるようになっている。ＷＤＭ信号光は、ＶＯＡ１５と光カプラ１６Ａ、１６Ｂによって、光強度レベルを調整された後、再び伝送路へ出力される。ここで、ＶＯＡ１５は、ＶＯＡコントローラー１７により制御できるようになっている。ＶＯＡコントローラー１７は、光カプラ１６Ａと１６Ｂ間のロス量が一定となるようにＶＯＡ１５を制御（ロス一定制御）する、または、光カプラ１６Ｂで検出される分岐光のレベルが一定となるようにＶＯＡ１５を制御（レベル一定制御）することが可能である。さらに、ＶＯＡコントローラー１７は、監視制御部１８によって、外部からの情報により制御することが可能になっている。
【００１８】
次に、本発明の第１の実施形態の光ノード装置を備える光ネットワークシステムで行われるＡＰＲ制御方法を、従来のＡＰＲ制御方法と比較して説明する。図４Ａに、従来の光ノード装置を備える光ネットワークシステム、図４Ｂに本発明の第１の実施形態の光ノード装置を備える光ネットワークシステムで行われているＡＰＲ制御方法を示す。
【００１９】
まず、従来の光ノード装置を備える光ネットワークシステムで行われるＡＰＲ制御方法を図４Ａで説明する。通常のＷＤＭ光信号による伝送は、Ｌｉｎｅ１とＬｉｎｅ２の対向する２本の光ファイバで行っている。各Ｌｉｎｅの光ノード装置内におけるＷＤＭ光信号の流れは、図１と同じなので省略する。ここでは、Ｌｉｎｅ１の光ノード装置＃１と＃２間の伝送路において、断線が発生した場合を示している。この場合、断線した光ファイバからは、ハイパワーの光信号が出力されている可能性があり、安全上、光ノード装置＃１から出力されている光信号を停止する必要がある。言い換えれば、光ノード装置＃１における光増幅器１０１Ｂの出力を停止する必要がある。もちろん、光ノード装置＃１の光増幅器１０１Ｂには、近接な箇所におけるコネクタ抜け、あるいは、光ファイバ断線等に起因するフレネル反射による反射光を検出して、出力を停止する機能を備えている。しかしながら、断線箇所が光ノード装置＃１から離れている場合は、そこで生じる反射光は減衰されて、光ノード装置＃１では検出できない可能性がある。結果として、光増幅器１０１Ｂの出力を停止することができない可能性がある。
【００２０】
従来の光ノード装置を備える光ネットワークシステムで行われるＡＰＲ制御の動作を以下に説明する。まず、障害発生（伝送路で断線等）とともに、光ノード装置＃２の光増幅器２０１Ａの入力信号が断となるため、光増幅器２０１Ａで入力断（ＬＯＳ：Loss Of Signal）アラームを検出する。光ノード装置＃２の監視制御部２０８では、上記ＬＯＳアラームをトリガにして、Ｌｉｎｅ２側の光増幅器２１１Ｂを停止制御する。これにより、光ノード装置＃１の光増幅器１１１Ａの入力信号が断となるため、光増幅器１１１Ａで入力断（ＬＯＳ）アラームを検出する。光ノード装置＃１の監視制御部１０８では上記ＬＯＳアラームをトリガにして、Ｌｉｎｅ１側の光増幅器１０１Ｂを停止制御する。この一連の動作により、障害の発生した伝送路の上流にある光ノード装置の出力を停止することが可能である。
【００２１】
一方、本発明の第１の実施形態の光ノード装置を備える光ネットワークシステムで行われるＡＰＲ制御方法を図４Ｂで説明する。ここでも、Ｌｉｎｅ１とＬｉｎｅ２の対向する２本の光ファイバで伝送を行っている例で示す。各Ｌｉｎｅの光ノード装置内におけるＷＤＭ光信号の流れは、図３と同じなので省略する。ここでは、Ｌｉｎｅ１の光ノード装置＃３と＃４間の伝送路において、断線が発生した場合を示している。断線した光ファイバからは、ハイパワーの光信号が出力されている可能性があり、安全上、光ノード装置＃３から出力されている光信号を停止する必要がある。言い換えれば、光ノード装置＃３におけるＯＡＤＭ部３０２の出力を停止する必要がある。
【００２２】
本発明の光ノード装置を備える光ネットワークシステムで行われるＡＰＲ制御の動作を以下に説明する。まず、障害発生（伝送路で断線等）とともに、光ノード装置＃４の光増幅器４０１の入力信号が断となるため、光増幅器４０１で入力断（ＬＯＳ）アラームを検出する。光ノード装置＃４の監視制御部４０８では、上記ＬＯＳアラームをトリガにして、Ｌｉｎｅ２側のＯＡＤＭ部４１２に備えられているＶＯＡのロスを最大にする。なお、最大のロスが３０ｄＢ程度のＶＯＡを適用すれば、光増幅器による停止と同等の効果が得られる。これにより、光ノード装置＃３の光増幅器３１１の入力信号が断となるため、光増幅器３１１で入力断（ＬＯＳ）アラームを検出する。光ノード装置＃３の監視制御部３０８では、上記ＬＯＳアラームをトリガにして、Ｌｉｎｅ１側のＯＡＤＭ部３０２に備えられているＶＯＡのロスを最大にする。この一連の動作により、障害の発生した伝送路の上流にある光ノード装置の出力を停止することが可能である。
【００２３】
以上のように、本発明の第１の実施形態の光ノード装置を備える光ネットワークシステムでは、従来のように高価な光増幅器を用いることなく、安価でかつ効率が良いＡＰＲ制御を実現している。
【００２４】
次に、本発明の第１の実施形態の光ノード装置を備える光ネットワークシステムで行われる出力制御方法について説明する。
【００２５】
まず、従来の光ノード装置を備える光ネットワークシステムで行われる出力制御方法を図４Ａで説明する。従来の光ノード装置＃１では、光増幅器１０１Ｂに対して、出力レベルあるいは利得が一定となるように制御している。しかしながら、実際は、光ノード装置間によって伝送路距離が異なるため、入力される光信号のレベルが異なる。これを一定にするために、固定光減衰器を光ノード装置＃２の光増幅器２０１Ａの入力部に挿入する必要がある。そのため、減衰量が異なる固定光減衰器をあらかじめ用意しておき、各伝送ラインに合わせて、挿入するという煩雑な手間を必要としている。
【００２６】
一方、本発明の第１の実施形態の光ノード装置を備える光ネットワークシステムで行われる出力制御方法を図５で説明する。本発明の光ネットワークシステムにおいて、光ノード装置＃６の光増幅器６０１にて、入力レベルが検出される。その検出情報は、監視制御部６０８を介して、対向するＬｉｎｅ２のＯＡＤＭ部６１２に送られる。その検出情報は、ＯＡＤＭ部６１２で、Ｌｉｎｅ２の主信号とは別波長の検出信号として重畳される。その検出信号は、伝送路を伝送された後、光ノード装置＃５の光増幅器５１１に転送される。その検出信号は、光増幅器５１１内に搭載したＷＤＭフィルタ（図示せず）等により分波された後、光電変換されて検出され、検出情報として監視制御部５０８を介して、ＯＡＤＭ部５０２にフィードバックされる。これにより、ＯＡＤＭ部５０２に搭載しているＶＯＡによって、減衰量が調整され、光ノード装置＃６の光増幅器６０１の入力レベルを所望の値に調整することが可能となっている。
【００２７】
これにより、光ノード装置＃６の光増幅器６０１の入力レベルを所望のレベルに制御することが可能である。よって、本発明の第１の実施形態の光ノード装置を用いた光ネットワークシステムでは、従来技術のように、減衰量が異なる固定光減衰器をあらかじめ用意しておき、各伝送ラインに合わせて挿入するという煩雑な手間を必要とせず、各光ノード装置における入力レベルを容易に適正化することが可能である。
【００２８】
なお、上記の出力制御の方法は、一例であり、各ノード装置にオペレーティング端末（図示せず）を設置してＬＡＮ等で接続しておき、このＬＡＮを介して検出情報をやりとりして、ＶＯＡを制御して、各ノード装置における入力レベルを調整することも可能である。
【００２９】
図６に、本発明の第２の実施形態の光ノード装置を示す。本発明の第２の実施形態の光ノード装置は、光増幅器２３と、ＯＡＤＭ２４と、光スイッチ（ＯＳＷ：Optical Switch）２６と、ＯＳＷコントローラー２７と、監視制御部２８とを備えている。このうち、ＯＡＤＭ２４、光スイッチ（ＯＳＷ）２６、ＯＳＷコントローラー２７は、まとめてＯＡＤＭ部２２として、パッケージ化してもよい。なお、監視制御部２８は、外部からの情報によりＯＳＷコントローラー２７を制御できる。
【００３０】
次に、図６により、本発明の第２の実施形態の光ノード装置２１の動作について説明する。図の左から伝送されてきたＷＤＭ光信号は、光ノード装置２１に入力され、光増幅器２３により一括増幅される。増幅されたＷＤＭ光信号は、ＯＡＤＭ部２２のＯＡＤＭ２４により個別の波長に分波されて、所定の波長についてアド／ドロップされた後、再び合波される。次に、ＷＤＭ光信号は、ＯＡＤＭ部２２の出力側に設置されたＯＳＷ２６側に出力される。ＯＳＷ２６は、ＯＳＷコントローラー２７からの制御情報により光の出力を停止させるように制御される。さらに、このＯＳＷコントローラー２７は、監視制御部２８によって、外部からの情報により制御することが可能になっている。
【００３１】
図７に、本発明の第２の実施形態の光ノード装置を備える光ネットワークシステムで行われるＡＰＲ制御を示す。この第２の実施形態では、第１の実施形態の図４Ｂと同様の制御が行われている。第１の実施形態では、ＶＯＡによりＯＡＤＭ部からの光出力を停止していたが、第２の実施形態では、ＯＳＷによりＯＡＤＭ部から光出力を停止している点が異なっている。
【００３２】
各Ｌｉｎｅの光ノード装置内におけるＷＤＭ光信号の流れは、図６と同じなので省略する。ここでは、Ｌｉｎｅ１の光ノード装置＃７と＃８間の伝送路において、断線が発生した場合を示している。まず、障害発生（伝送路で断線等）とともに、光ノード装置＃８の光増幅器８０１の入力信号が断となるため、光増幅器８０１で入力断（ＬＯＳ）アラームを検出する。光ノード装置＃８の監視制御部８０８では、上記ＬＯＳアラームをトリガにして、Ｌｉｎｅ２側のＯＡＤＭ部８１２に備えられているＯＳＷで光出力を停止する。これにより、光ノード装置＃７の光増幅器７１１の入力信号が断となるため、光増幅器７１１で入力断（ＬＯＳ）アラームを検出する。光ノード装置＃７の監視制御部７０８では、上記ＬＯＳアラームをトリガにして、Ｌｉｎｅ１側のＯＡＤＭ部７０２に備えられているＯＳＷで光出力を停止する。この一連の動作により、障害の発生した伝送路の上流にある光ノード装置の出力を停止することが可能である。
【００３３】
このように、本発明の第２の実施形態の光ノード装置を備える光ネットワークシステムでは、従来のように高価な光増幅器を用いることなく、安価でかつ効率が良いＡＰＲ制御を実現している。
【００３４】
以上の実施形態では、光ノード装置出力部の光増幅器を無くす場合を示してきたが、伝送路距離が非常に短い場合や、光ノード装置が密接に配置されているような場合については、光ノード装置出力部および入力部の光増幅器を共に無くしても良い。この場合、ＬＯＳ検出および入力レベル検出についても、ＯＡＤＭ部にて光検出機能を持たせて行うことになる。
【図面の簡単な説明】
【００３５】
【図１】従来の光ノード装置を示す構成図である。
【図２】光ノード装置を用いた光ネットワークシステムの一例を示す構成図である。
【図３】本発明の第１の実施形態の光ノード装置を示す構成図である。
【図４Ａ】従来の光ノード装置を用いた光ネットワークシステムで行われるＡＰＲ制御方法を示す説明図である。
【図４Ｂ】本発明の第１の実施形態の光ノード装置を用いた光ネットワークシステムで行われるＡＰＲ制御方法を示す説明図である。
【図５】本発明の第１の実施形態の光ノード装置を用いた光ネットワークシステムで行われる出力制御方法を示す説明図である。
【図６】本発明の第２の実施形態の光ノード装置を示す構成図である。
【図７】本発明の第２の実施形態の光ノード装置を用いた光ネットワークシステムで行われるＡＰＲ制御方法を示す説明図である。
【符号の説明】
【００３６】
１、１１、２１、＃１、＃２、＃３、＃４、＃５、＃６、＃７、＃８  光ノード装置
２、１２、２２、１０２、１１２、２０２、２１２、３０２、３１２、４０２、４１２、５０２、５１２、６０２、６１２、７０２、７１２、８０２、８１２  ＯＡＤＭ部
３Ａ、３Ｂ、１３、２３、１０１Ａ、１１１Ｂ、２０１Ａ、２１１Ｂ、３０１、４０１、５０１、５１１、６０１、７０１、７１１、８０１  光増幅器
１４、２４  ＯＡＤＭ
１５  ＶＯＡ
１６Ａ、１６Ｂ  光カプラ
１７  ＶＯＡコントローラー
１８、２８、１０８、２０８、３０８、４０８、５０８、６０８、７０８、８０８  監視制御部
２６  ＯＳＷ
２７  ＯＳＷコントローラー
【図１】
2004297790.tif 000003
【図２】
2004297790.tif 000004
【図３】
2004297790.tif 000005
【図４Ａ】
2004297790.tif 000006
【図４Ｂ】
2004297790.tif 000007
【図５】
2004297790.tif 000008
【図６】
2004297790.tif 000009
【図７】
2004297790.tif 000010